(57)【要約】【課題】容量を比較的大きくしたままで、しかもマフラーを避けた燃料タンクを車体前方部に配置すること。【解決手段】操縦席前方の走行車体上にボンネット１内にエンジン２と燃料タンク９とエンジン排気マフラー７を配置し、燃料タンク９の一部（前方左方）に凹部を設け、該凹部にマフラー７の後端部を位置させ、さらに操縦席に設けたパネルダッシュ（壁）１０の上端部を後方に向かって凹ませ、該凹部に燃料タンク９の後端部を収納する作業車両である。燃料タンク９の一部（前方左方）にマフラー収納用の凹部を設け、またパネルダッシュ（壁）１０の後方凹部に燃料タンク９の後端部を収納させることで、補助タンクを設けることなく、比較的大容量の燃料タンクが得られ、設備コストの低減が可能になる。【選択図】    図１
2004231014.tif 000002
【特許請求の範囲】
【請求項１】
操縦席前方の走行車体上のボンネット１内にエンジン２と燃料タンク９とエンジン排気マフラー７を配置した作業車両において、
燃料タンク９の一部に凹部を設け、該凹部にマフラー７の後端部を位置させ、さらに操縦席に設けたパネルダッシュ１０の上端部を後方に向かって凹ませ、該凹部に燃料タンク９の後端部を収納することを特徴とする作業車両。
【請求項２】
燃料タンク９の底面は中央から前方上方に向かった曲がり部を形成しており、該曲がり部に支持ステー１２を接当させて燃料タンク９を車体上に設けたフードステー１７に支持させ、
燃料タンク９の側方から前方に掛け渡し、かつパネルダッシュ１０に基部を支持させた固定用ロッド１４でパネルダッシュ１０側に引き付けて固定し、
燃料タンク９の前方と下方に遮熱板１６を設け、該遮熱板１６はボンネット開閉支点枠であるフードステー１７に固着したことを特徴とする請求項１記載の作業車両。
【発明の詳細な説明】
【０００１】
【発明の属する技術分野】
この発明は、走行装置を備えた農業用、建築、運搬用等の作業車両に関し、特にその燃料タンク搭載部分の構成に関する。
【０００２】
【従来の技術】
前記作業車両として、農業用トラクタ（以下、トラクタという）を例にして説明する。
トラクタは、前後左右一対の車輪と該車輪の駆動源であるエンジンと該エンジン駆動力を変速する変速装置等を備えた駆動機構を車体上に搭載し、該車体上にハンドルを含む操縦席を設け、ロータリ耕耘装置などの作業機を車体の後部に連結可能になっている。
【０００３】
従来のトラクタでは燃料タンクを車体の前方部に配置した構成を採用した例があるが、車体の前方部にはエンジンを搭載している場合が多く、この場合には該エンジンの後方にはマフラーなどが配置されるが、燃料タンクはマフラーの近傍に配置されることになる。
【０００４】
【特許文献１】
実用新案登録公報第２５９８５３号公報
【０００５】
【特許文献２】
特開２００１−２１９７５１号公報
【０００６】
【発明が解決しようとする課題】
しかし、上記従来のトラクタでは、マフラーを避けて燃料タンクを配置すると燃料タンク用のスペースが小さくなる。従って、大馬力のトラクタでは、燃料タンクの容量不足となり、これを避けるために補助燃料タンクを設ける必要があった。
【０００７】
そこで本発明の課題は、容量を比較的大きくしたままで、しかもマフラーを避けた燃料タンクを車体前方部に配置することである。
【０００８】
【課題を解決するための手段】
本発明の請求項１記載の発明は、操縦席前方の走行車体上のボンネット１内にエンジン２と燃料タンク９とエンジン排気マフラー７を配置した作業車両において、燃料タンク９の一部（前方左方）に凹部を設け、該凹部にマフラー７の後端部を位置させ、さらに操縦席に設けたパネルダッシュ（壁）１０の上端部を後方に向かって凹ませ、該凹部に燃料タンク９の後端部を収納する作業車両である。
【０００９】
請求項１記載の発明によれば、燃料タンク９の一部（前方左方）に凹部を設け、該凹部にマフラー７の後端部を位置させ、さらに、パネルダッシュ（壁）１０の上端部後方の凹部に燃料タンク９の後端部を収納させることで、大馬力のトラクタでも大きな燃料タンク９の容量が確保できる。
【００１０】
また、請求項２の記載の発明は、燃料タンク９の底面は中央から前方上方に向かった曲がり部を形成しており、該曲がり部に支持ステー１２を接当させて燃料タンク９を車体上に設けたフードステー１７に支持させ、燃料タンク９の側方から前方に掛け渡し、かつパネルダッシュ１０に基部を支持させた固定用ロッド１４でパネルダッシュ１０側に引き付けて固定し、燃料タンク９の前方と下方に遮熱板１６を設け、該遮熱板１６はボンネット開閉支点枠であるフードステー１７に固着した請求項１記載の作業車両である。
【００１１】
請求項２記載の発明によれば、燃料タンク９の底面は中央から前方上方に向かって迫り上がった迫り上がり部に支持ステー１２を接当させて燃料タンク９を機体側に支持させ、燃料タンク９の前方と下方に遮熱板１６を設けてエンジンからの放熱が燃料タンク９に及ばないようにする。
【００１２】
【発明の効果】
請求項１記載の発明によれば、燃料タンク９の一部（前方左方）にマフラー収納用の凹部を設け、またパネルダッシュ（壁）１０の後方凹部に燃料タンク９の後端部を収納させることで、補助タンクを設けることなく、比較的大容量の燃料タンクが得られ、設備コストの低減が可能になる。
【００１３】
請求項２記載の発明によれば、  請求項１記載の発明の効果に加えて、遮熱板１６でエンジンからの放熱が燃料タンク９に当たらないようにし、支持ステー１２で燃料タンク９の振動を防ぐことできる。
【００１４】
【発明の実施の形態】
本発明の実施の形態について、以下作業車両の一例である農業用トラクタ（以下、トラクタという）について説明する。なお、以下の図示例についての説明で前又は後というときは、操縦ハンドルを配置した側を後とし、その反対側、即ちエンジン２を配置した側を前とする。そして、右又は左というときは、機体後部において機体前部側を前側として立つ作業者から見て右手側を右とし、左手側が左としていう。
【００１５】
図１はトラクタの機体前部のボンネット１内の要部側面図であり、図２はトラクタの機体前部のボンネット１内の要部平面図であり、図３は図１の燃料タンク設置部の拡大側面図である。
【００１６】
トラクタの機体前部のボンネット１内部にエンジン２を載置し、このエンジン２から図示しないクラッチハウジング、ミッションケース等に動力が伝達される。ボンネット１内部のエンジン２の前方側の側面に送風ファン３及びラジエータ５が配置される。ラジエータ５などの前方にはバッテリ６が配置されること多い。またマフラー７はエンジン２の近傍に配置される。
【００１７】
本実施の形態では燃料タンク９はボンネット１内の後方に配置する構成を採用するが、燃料タンク９の一部（前方左方）に凹部を設け、該凹部にマフラー７の後端部を位置させ、さらに、パネルダッシュ（壁）１０の上端部を後方に向かって窪ませて、この凹部に燃料タンク９の後端部を収納することで、大馬力のトラクタでも大きな燃料タンク９の容量が確保できるようにした。こうして、補助タンクを設けることもなくなり、設備コストの低減が可能になる。
【００１８】
また、燃料タンク９の底面に設けた燃料出口の周囲のボス９ａでパネルダッシュ１０の凹部に燃料タンク９の位置決めをする。また、燃料タンク９の底面は中央から前方を上方に向かって迫り上がった構成にしており、この迫り上がり部に支持ステー１２を接当させて燃料タンク９を機体側に支持させている。このとき支持ステー１２の上面に図４に示すスポンジ等の弾性体１３を配置しておき、燃料タンク９の迫り上がり部の底面側で弾性体１３を押圧する構成にしておけば、燃料タンク９の振動が抑えられる。
【００１９】
また、燃料タンク９は前方に倒れないように固定用ロッド１４でパネルダッシュ１０側に引き付けて固定する。このように燃料タンク９をパネルダッシュ１０の凹部と支持ステー１２で支持し、固定ロッド１４で固定する。更に、燃料タンク９の前方と下方にはエンジンルーム内の熱風を遮断する遮熱板１６を設けておき、該遮熱板１６はフードステー（ボンネット開閉支点枠）１７に取付板１８を介して固着している。
【００２０】
従来、燃料タンク９と共に遮熱板１６は操縦席フロア側又はボンネット１側に一緒に固定されていた。しかし、図１〜図３に示す構成により操縦席フロア側に燃料タンク９を配置し、フードステー１７側に遮熱板１６を配置する構成とすることで充分な大きさの容量の燃料タンク９を配置できる。
【００２１】
また、図５の要部側面図に示すように、小型トラクターには燃料タンク９’の図１に示す燃料タンク９前方の凸部を無くし容量を小さくして適用する。
【００２２】
図６に示す実施例はボンネット１と燃料タンク９配置部の要部左側面図、図７はその平面図（カバー２４を外している）であるが、ボンネット１の前後位置調節を燃料タンク９上面に溶接したブラケット部材１９上に回動支点（左右方向の軸）２０を載せて、該回動支点２０をホルダ部材２１で押圧固定する構成として、ブラケット部材１９に設けるホルダ部材２１の取付穴２１ａは長穴とし、該取付穴２１ａを用いてボンネット１を前後方向に調節可能にする。
【００２３】
こうして、ボンネット１の取付位置を簡単に調整することが可能となり外観品質が安定する。また、ブラケット部材１９及びホルダ部材２１と回動支点２０の間に緩衝部材２２をはさみ込むことで防振構造とすることもできる。
【００２４】
なお燃料タンクの注油口９ｂの周囲には油受け溝２４ａを有する油受け用カバー２４を設けでいる。
【図面の簡単な説明】
【図１】本発明の実施の形態のトラクタ機体前部のボンネット内の要部側面図である。
【図２】図１のトラクタの機体前部のボンネット内の要部平面図である。
【図３】図１のトラクタの燃料タンク設置部の拡大側面図である。
【図４】図２の燃料タンクの支持ステー部分の斜視図である。
【図５】図１のトラクタの燃料タンク設置部の拡大側面図である。
【図６】本発明の実施の形態のボンネットと燃料タンク配置部の要部左側面図である。
【図７】図６の燃料タンク配置部の要部平面図である。
【符号の説明】
１  ボンネット              ２  エンジン
３  送風ファン              ５  ラジエータ
６  バッテリ                ７  マフラー
９  燃料タンク              ９ａ  ボス
９ｂ  注油口                １０  パネルダッシュ（壁）
１２  支持ステー            １３  弾性体
１４  固定用ロッド          １６  遮熱板
１７  フードステー          １８  取付板
１９  ブラケット部材        ２０  回動支点
２１  ホルダ部材            ２１ａ  取付穴
２２  緩衝部材              ２４  カバー
２４ａ  油受け溝
【図１】
2004231014.tif 000003
【図２】
2004231014.tif 000004
【図３】
2004231014.tif 000005
【図４】
2004231014.tif 000006
【図５】
2004231014.tif 000007
【図６】
2004231014.tif 000008
【図７】
2004231014.tif 000009